(57)【要約】【課題】他の部材を連結する場合や掛止部に掛脱する場合、あるいは、手で持った状態で移動する場合などに爪や指先に当たっても痛みを感じさせず、また、衣服のポケットやバッグなどに収納した状態で移動してもポケットやバッグの内面を損傷させることのない連結リングを提供する。【解決手段】  他の部材であるネームホルダ２の連結開始時に、ネームホルダ２の被連結孔（被連結部）２ａに挿通され、他の部材であるキー３連結開始時に、キー３の被連結孔（被連結部）３ａに挿通される挿通部４を一端側１Ａに設けた連結リング１の主リング１０において、前記挿通部４の先端４ａに円弧状の折り返し部５を形成する。【選択図】          図１
0003160047.tif 000002
【実用新案登録請求の範囲】
【請求項１】
他の部材の連結開始時に、該他の部材の被連結部に挿通される挿通部を一端側に設けた連結リングにおいて、該挿通部の先端に折り返し部が形成されてなることを特徴とする連結リング。
【請求項２】
請求項１に記載した連結リングにおいて、
前記連結リングは、一端側から他端側にかけて略１．５巻回されたスプリング鋼線によって円形環状に構成されている連結リング。
【請求項３】
請求項１または請求項２に記載の連結リングにおいて、
前記挿通部は、円形環状の中心に向かって延設されている連結リング。
【考案の詳細な説明】
【技術分野】
【０００１】
本考案は連結リングに係り、より詳しくは、ネームホルダと携行用バッグなどの持ち物、あるいはネームホルダとキーなどを互いに連結するのに好適な連結リングに関する。
【背景技術】
【０００２】
従来の連結リングとして、たとえば図３に示すものが知られている。この連結リング１は、ネームホルダ２とキー３とを互いに連結するためのもので、円形環状の主リング１０と、略８字状の副リング１１とを備え、主リング１０は、キー３との連結開始時に該キー３の被連結孔（被連結部）３ａに挿通される挿通部４が半径方向の内側に向けて突設されているとともに、副リング１１を介してネームホルダ２の被連結孔（被連結部）２ａに連結される。
【０００３】
この連結リング１によれば、他の部材であるキー３を連結する場合、その連結開始時に、まず、主リング１０の挿通部４を被連結孔３ａに挿通したのち、主リング１０に沿って該主リング１０とキー３とを相対移動させることで、主リング１０にキー３が容易に連結され、連結リング１を介してネームホルダ２とキー３の両者が互いに連結された状態、つまり、ネームホルダ２をキーホルダとして機能させた状態を実現することができる。
【先行技術文献】
【特許文献】
【０００４】
【特許文献１】特になし。
【考案の概要】
【考案が解決しようとする課題】
【０００５】
図３のように、ネームホルダ２をキーホルダとして機能させた状態では、使用後の保管は、一般に、室内の保管位置に設けた例えばＬ型のフックなどの掛止部（図示省略）に主リング１０を掛止した吊り下げ状態でなされる。そして、キー３の使用は、前記掛止部から主リング１０を取り外して手で持った状態、あるいは衣服のポケットに収納した状態で玄関のドアーあるいは駐車場の車体の位置まで移動してなされる。
【０００６】
ところが、前記従来の主リング１０は、挿通部４の先端４ａが尖っているので、挿通部４を被連結孔３ａに挿通したのち、主リング１０に沿って該主リング１０とキー３とを相対移動させる場合、あるいは、主リング１０を前記Ｌ型のフックなどの掛止部に掛脱する場合や主リング１０を手で持った状態で移動する場合などにおいて、挿通部４の尖っている先端４ａが爪や指先に当たって痛みを感じさせるおそれを有しているとともに、衣服のポケットに収納した状態で移動すると、先端４ａが引っ掛かってポケットの内面を損傷させるおそれも有る。
【０００７】
本考案は上記の実情に鑑みてなされたものであって、他の部材を連結する場合や掛止部に掛脱する場合、あるいは、手で持った状態で移動する場合などに爪や指先に当たっても痛みを感じさせず、また、衣服のポケットやバッグなどに収納した状態で移動してもポケットやバッグの内面を損傷させることのない連結リングの提供を目的とするものである。
【課題を解決するための手段】
【０００８】
前記目的を達成するために、本考案に係る連結リングは、他の部材の連結開始時に、該他の部材の被連結部に挿通される挿通部を一端側に設けた連結リングにおいて、該挿通部の先端に折り返し部が形成されてなることを特徴としている。
【０００９】
前記構成の連結リングによれば、他の部材を連結する場合や掛止部に掛脱する場合、あるいは、手で持った状態で移動する場合などに、挿通部の先端に形成されている折り返し部が爪や指先に当たっても痛みを感じることはない。また、衣服のポケットやバッグなどに収納した状態で移動しても、挿通部の先端に形成されている折り返し部は引っ掛からないので、ポケットやバッグの内面を損傷させることもない。
【００１０】
本考案に係る連結リングは、一端側から他端側にかけて略１．５巻回されたスプリング鋼線によって円形環状に構成することが望ましい。これによると、使用材料を最小限に節減したものでありながら、製作容易であり、かつ高剛性で長期使用に対応する連結リングを安価に実現できる。
【００１１】
また、本考案に係る連結リングは、前記挿通部が円形環状の中心に向かって延設されていることが望ましい。これによると、該挿通部４が連結リングの中心軸線方向に突出する構成と比較して、折り返し部が爪や指先に当たることや、ポケットやバッグの内面に当たることを極力回避することができるので使用性が向上する。
【考案の効果】
【００１２】
本考案に係る連結リングは、挿通部の先端に折り返し部が形成されていることにより、他の部材を連結する場合や掛止部に掛脱する場合、あるいは、手で持った状態で移動する場合などに、挿通部の先端に形成されている折り返し部が爪や指先に当たっても痛みを感じることはない。また、衣服のポケットやバッグなどに収納した状態で移動しても、挿通部の先端に形成されている折り返し部は引っ掛からないので、ポケットやバッグの内面を損傷させることもない。
【図面の簡単な説明】
【００１３】
【図１】本考案に係る連結リングの一実施形態を示す斜視図である。
【図２】本考案に係る連結リングの他の実施形態を示す斜視図である。
【図３】従来の連結リングの一実施形態を示す斜視図である。
【考案を実施するための形態】
【実施例】
【００１４】
以下、本考案に係る連結リングの好ましい実施形態を図面に基づいて説明する。なお、図３の従来例と同一部分には同一符号を付す。
【００１５】
図１は本考案に係る連結リングの一実施形態を示す斜視図であり、この図において、連結リング１は、ネームホルダ２とキー３とを互いに連結するためのもので、主リング１０と、副リング１１とを備える。前記主リング１０は、一端側１Ａから他端側１Ｂにかけて略１．５巻回されたスプリング鋼線によって円形環状に構成され、その一端側１Ａに他の部材であるキー３との連結開始時に該キー３の被連結孔（被連結部）３ａに挿通される挿通部４が該主リング１０の略中心に向かって一直線に延設されているとともに、該挿通部４の先端４ａに小さい曲率半径からなる円弧状の折り返し部５が形成されている。また、副リング１１は、スプリング鋼線によって略８字状に形成されており、一端部が他の部材であるネームホルダ２被連結孔（被連結部）２ａに挿通されるとともに、他端部が主リング１０に掛止されている。これにより、連結リング１は、ネームホルダ２とキー３とを互いに連結する。
【００１６】
連結リング１における主リング１０は、他の部材であるキー３の連結開始時には、まず、挿通部４をキー３の被連結孔３ａに挿通したのち、主リング１０に沿って該主リング１０とキー３とを相対移動させることで、主リング１０に他の部材であるキー３が容易に連結されて、連結リング１を介してネームホルダ２とキー３の両者が互いに連結された状態、つまり、ネームホルダ２をキーホルダとして機能させた状態を実現することができる。なお、図中６は窓部を示し、この窓部６に文字７を表示したネーム板８が臨んでいる。
【００１７】
本考案に係る連結リング１は、その主リング１０における挿通部４の先端４ａに小さい曲率半径からなる円弧状の折り返し部５が形成されていることにより、該主リング１０とキー３とを互いに連結する場合や前述した図示していない掛止部に主リング１０を掛脱する場合、あるいは、主リング１０を手で持った状態で移動する場合などに、挿通部４の先端４ａに形成されている小さい曲率半径からなる円弧状の折り返し部５が爪や指先に当たっても痛みを感じることはない。また、衣服のポケットやバッグなおにに収納した状態で移動しても、挿通部４の先端４ａに形成されている小さい曲率半径からなる円弧状の折り返し部５は引っ掛からないので、ポケットやバッグの内面を損傷させることもない。
【００１８】
また、主リング１０は、その一端側１Ａから他端側１Ｂにかけて略１．５巻回されたスプリング鋼線によって円形環状に構成されているので、使用材料を最小限に削減したものでありながら、自動機によって容易に製作することができるとともに、高剛性で長期使用に対応する主リング１０を安価に実現できる。
【００１９】
さらに、主リング１０は、挿通部４が円形環状の略中心に向かって一直線に延設されているので、たとえば、該挿通部４が主リング１０の中心軸線方向に突出する構成と比較して、円弧状の折り返し部５が爪や指先に当たることや、ポケットやバッグの内面に当たることを極力回避することができるので使用性が向上する。
【００２０】
前記実施形態では、連結リング１を介してネームホルダ２とキー３とを互いに連結して、ネームホルダ２をキーホルダとして機能させた構成で説明しているが、連結リング１を介してネームホルダ２と携行用バッグなどの持ち物（図示省略）とを互いに連結することで、ネームホルダ２を文字通りネームホルダとして機能させることができる。
【００２１】
また、前記実施形態では挿通部４の先端４ａに円弧状の折り返し部５を形成した構成で説明しているが、折り返し部５は三角形または四角形であっても良い。
【００２２】
さらに、前記実施形態では、主リング１０と副リング１１とを備えた連結リング１を適用した構成で説明しているが、図２に示すように、主リング１０のみで連結リング１を構成してもよい。なお、図２において、図１と同一部分には、同一符号を付して重複する構造説明は省略する。
【産業上の利用可能性】
【００２３】
連結リング１を介してネームホルダ２とキー３とを互いに連結して、ネームホルダ２をキーホルダとして機能させたり、連結リング１を介してネームホルダ２と携行用バッグなどの持ち物とを互いに連結することで、ネームホルダ２を文字通りネームホルダとして機能させる。
【符号の説明】
【００２４】
１  連結リング
１Ａ  連結リングの一端側
１Ｂ  連結リングの他端側
２  ネームホルダ（他の部材）
２ａ  ネームホルダの被連結孔（他の部材の被連結部）
３  キー（他の部材）
３ａ  キーの被連結孔（他の部材の被連結部）
４  挿通部
４ａ  挿通部の先端
５  円弧状の折り返し部（折り返し部）
【図１】
0003160047.tif 000003
【図２】
0003160047.tif 000004
【図３】
0003160047.tif 000005